(57)【要約】【課題】小屋裏居室空間の採光が充分となるバルコニ用サッシ体を提供する。【解決手段】ルーフバルコニを構成するバルコニ用サッシ体３２は、出入り口部３６が形成されてガラス面を有した垂直面部３３と、垂直面部３３の両端に連続するとともに前方に突出して設けられたほぼ台形状の２面の側壁面部３７とを有して一体的に形成されてユニット化されている。２面の側壁面部３７の少なくとも一方の少なくとも一部はガラス面３７Ａとなっている。そのため、垂直面部３３と側壁面部３７との両方から採光を得ることができ、小屋裏居室空間のより一層の採光を得ることができる。【選択図】図６
2010190037.tif 000002
【特許請求の範囲】
【請求項１】
建物の屋根パネルで構成された勾配屋根面の開口部に設けられるとともに、前記勾配屋根の下方に設けられた小屋裏居室に出入り可能なルーフバルコニを構成するバルコニ用サッシ体であって、
前記バルコニ用サッシ体は、前記小屋裏居室からルーフバルコニに出入りするための出入り口部が形成されてガラス面を有した垂直面部と、この垂直面部の両端に連続するとともに前方に突出して設けられたほぼ台形状の２面の側壁面部とを有し、一体的に形成されてユニット化され、
前記側壁面部の上端には、前記勾配屋根の勾配と等しい勾配に形成された斜め材が設けられ、当該２面の側壁面部の少なくとも一方の少なくとも一部がガラス面となっていることを特徴とするバルコニ用サッシ体。
【請求項２】
請求項１に記載のバルコニ用サッシ体において、
前記バルコニ用サッシ体は、前記垂直面部と平行かつ、前記側壁面部の軒先側端に設けられる前面部を含んで一体的に設けられ、
前記前面部の上端は、前記開口部の軒先側縁部と接することを特徴とするバルコニ用サッシ体。
【請求項３】
請求項１または請求項２に記載の建物のバルコニ用サッシ体において、
前記バルコニ用サッシ体は、前記垂直面部の下部に連続して前方に延びるバルコニ床面部を含んで一体的に設けられていることを特徴とするバルコニ用サッシ体。
【請求項４】
建物の勾配屋根の屋根面を構成する屋根パネルと、
前記勾配屋根面に形成された開口部に設けられた請求項１から請求項３のいずれかに記載のバルコニ用サッシ体とを備えることを特徴とするルーフバルコニ付き勾配屋根。
【発明の詳細な説明】
【技術分野】
【０００１】
本発明は、建物の勾配屋根面の開口部に設けられるとともに、勾配屋根面の下方に設けられた小屋裏居室に出入り可能なルーフバルコニを構成するバルコニ用サッシ体およびこのバルコニ用サッシ体を用いたルーフバルコニ付き勾配屋根に関する。
【背景技術】
【０００２】
近年、敷地の有効活用や二世帯用として使用する等の理由で、３階建住宅が増加している。それとともに、建築基準法の制限や、地域の近隣住宅への配慮から、３階部分を勾配屋根の小屋裏に設ける、いわゆる小屋裏３階建住宅の比率も高くなってきている（例えば、特許文献１参照）。
【先行技術文献】
【特許文献】
【０００３】
【特許文献１】特開平１０ー１６９１１４号公報
【発明の概要】
【発明が解決しようとする課題】
【０００４】
ところで、小屋裏を居室とした場合、屋根が覆い被さる勾配天井の居室となるため採光が困難となる。そのため、ドーマやトップライトを利用して採光面積を増やしたり、勾配屋根の開口部にバルコニを設けてルーフバルコニとしたりして、居住環境を改善しようとの試みがいろいろと行われている。
しかし、ルーフバルコニを設けたとしても、採光は、小屋裏居室への出入り口をガラス窓とした際のそのガラス窓からしか望めず、閉鎖的な小屋裏居室空間を、充分に明るい居住空間とするには至っておらず、採光が充分となる小屋裏居室空間が求められている。
【０００５】
本発明の目的は、小屋裏居室空間の採光が充分となるバルコニ用サッシ体およびルーフバルコニ付き勾配屋根を提供することにある。
【課題を解決するための手段】
【０００６】
本発明の請求項１に記載の建物のルーフバルコニは、図面を参照して説明すると、図５に示すように、建物の屋根パネルで構成された勾配屋根面の開口部に設けられるとともに、勾配屋根の下方に設けられた小屋裏居室に出入り可能なルーフバルコニを構成するバルコニ用サッシ体３２であって、このバルコニ用サッシ体３２は、小屋裏居室からルーフバルコニに出入りするための出入り口部が形成されてガラス面を有した垂直面部３３と、この垂直面部３３の両端に連続するとともに前方に突出して設けられたほぼ台形状の２面の側壁面部３７とを有し、一体的に形成されてユニット化され、側壁面部３７の上端には、勾配屋根１６の勾配と等しい勾配に形成された斜め材が設けられ、当該２面の側壁面部３７の少なくとも一方の少なくとも一部がガラス面３７Ａとなっていることを特徴とするものである。
【０００７】
このような本発明では、２面の側壁面部がガラス面となっているので、これらの側壁面部からの採光が可能となり、小屋裏居室空間の採光が充分となる。垂直面部にもガラス面が設けられているので、垂直面部と側壁面部との両方から採光を得ることができ、小屋裏居室空間のより一層の採光を得ることができる。
また、バルコニ用サッシ体が、垂直面部と側壁面部とを一体的に形成してユニット化されているとともに、勾配屋根面の開口部内に収納されるので、取付が容易となり、取付作業の効率化および工期短縮を図れる。
【０００８】
本発明の請求項２に記載のバルコニ用サッシ体は、図面を参照して説明すると、図５および図６に示すように、垂直面部３３と平行かつ、側壁面部３７の軒先側端に設けられる前面部３４を含んで一体的に設けられ、前面部３４の上端は、開口部１６Ａの軒先側縁部と接することを特徴とするものである。
【０００９】
このような本発明では、バルコニ用サッシ体が、垂直面部と平行かつ、側壁面部の軒先側端に設けられる前面部を含んで一体的に形成されてユニット化され、勾配屋根面の開口部内に収納されるともに、前面部の上端は、開口部の軒先側縁部と接しているので、取付が容易となり、取付作業の効率化および工期短縮を図れる。
【００１０】
本発明の請求項３に記載のバルコニ用サッシ体は、図５および図６に示すように、垂直面部３３の下部に連続して前方に延びるバルコニ床面部３５を含んで一体的に設けられていることを特徴とするものである。
【００１１】
このような本発明では、バルコニ用サッシ体が、垂直面部の下部に連続して前方に延びるバルコニ床面部を含んで一体的に形成されてユニット化され、勾配屋根面の開口部内に収納されるので、取付が容易となり、取付作業の効率化および工期短縮を図れる。
【００１２】
本発明の請求項４に記載のルーフバルコニ付き勾配屋根は、図面を参照して説明すると、図５および図６に示すように、建物の勾配屋根１６の屋根面を構成する屋根パネルと、前記勾配屋根面に形成された開口部１６Ａに設けられた前記バルコニ用サッシ体３２とを備えることを特徴とするものである。
【発明の効果】
【００１３】
以上に説明したように、本発明のバルコニ用サッシ体およびルーフバルコニ付き勾配屋根によれば、バルコニ用サッシ体の２面の側壁面部がガラス面となっているので、これらの側壁面部からの採光が可能となり、小屋裏居室空間の採光が充分となる。垂直面部にもガラス面を設ければ、垂直面部と側壁面部との両方から採光を得ることができ、小屋裏居室空間のより一層の採光を得ることができるという効果がある。
【図面の簡単な説明】
【００１４】
【図１】本発明に係る第１参考例のルーフバルコニが設けられたユニット式建物を示す全体斜視図である。
【図２】前記参考例のユニット式建物を構成する建物ユニットの骨組みを示す全体斜視図である。
【図３】前記参考例のルーフバルコニが設けられたユニット式建物を示す縦断面図である。
【図４】前記参考例のルーフバルコニを構成するバルコニ用サッシ体を示す全体斜視図である。
【図５】本発明に係る実施形態のルーフバルコニが設けられたユニット式建物を示す全体斜視図である。
【図６】前記実施形態のルーフバルコニを構成するバルコニ用サッシ体を示す全体斜視図である。
【図７】本発明に係る第２参考例のルーフバルコニが設けられたユニット式建物を示す全体斜視図である。
【図８】前記参考例のルーフバルコニを構成するバルコニ用サッシ体を示す全体斜視図である。
【図９】本発明に係る第３参考例のルーフバルコニが設けられたユニット式建物を示す全体斜視図である。
【図１０】前記参考例のルーフバルコニを構成するバルコニ用サッシ体を示す全体斜視図である。
【図１１】本発明に係る第４参考例のルーフバルコニが設けられたユニット式建物を示す全体斜視図である。
【図１２】本発明に係る第５参考例のルーフバルコニが設けられたユニット式建物を示す全体斜視図である。
【図１３】前記参考例のルーフバルコニを構成するバルコニ用サッシ体を示す全体斜視図である。
【発明を実施するための形態】
【００１５】
以下に、本発明の実施形態および参考例を図面に基づいて説明する。
図１に示すように、本発明の第１参考例に係るルーフバルコニ１は、ユニット式建物１０に設けられている。このユニット式建物１０は、予め工場で生産された複数の下階建物ユニット１１、上階建物ユニット１２、および上階建物ユニット１２の上方に設けられる勾配屋根１６等を、建築現場で組み合わせることにより建てられる。
なお、上階建物ユニット１２の上方には、図３に示すように、勾配屋根１６で覆われるとともに、内壁１８，床面材９等で形成される小屋裏居室１５が設けられている。
【００１６】
上下階建物ユニット１２，１１は、図２に示すように、四隅に立設される４本の柱２０と、これらの柱２０の上端間同士および下端間同士を結合する各４本の上梁２１、下梁２２を含む骨組み２３を備えて形成されている。そして、このような骨組み２３には、天井面材、床面材、内壁および外壁等が適宜取り付けられ、建物ユニット１２等が完成されるようになっている。
【００１７】
図３に示すように、屋根パネル用フレーム１４は、縦横の枠部材を組み立てて四角枠に形成され、その上面に屋根パネル１３が取り付けられ、建物の勾配屋根１６が形成されている。
そして、このような屋根パネル用フレーム１４は、屋根束２４およびパネル受けブラケット２５で支持され、これらの屋根束２４およびパネル受けブラケット２５は、小屋パネル１７に取り付けられるようになっている。
【００１８】
図１に示すように、このような勾配屋根１６の一面には開口部１６Ａが形成され、この開口部１６Ａに、バルコニ用サッシ体２を収容することにより、前記ルーフバルコニ１が構成されている。
このようなバルコニ用サッシ体２は、開口部１６Ａ内に収容されるとともに、図３に示すように、小屋パネル１７に載せられ、かつ、図示しないブラケット等により固定されている。
【００１９】
図１，４に詳細を示すように、バルコニ用サッシ体２は、屋根面１６からほぼ垂直に下方に延びた垂直面部３と、この垂直面部３の上端部に連続するとともに、勾配屋根面１６の勾配と同一勾配、かつ、同一平面上に位置し、屋根面１６に沿って屋根棟１６Ｂ側に延びる勾配面部４と、垂直面部３の下端部に連続し、かつ、屋根軒先１６Ｃ側に延びる水平なバルコニ床面部５を有している。
【００２０】
垂直面部３には、小屋裏居室１５からルーフバルコニ１に出入りするための出入り口部６が形成されており、この出入り口部６は、引き戸式のガラス面で形成されている。また、勾配面部４は、サッシ枠にガラスがはめ込まれたガラス面７となっている。さらに、バルコニ床面部５は、補強梁８Ａで補強されたサッシ床枠８の上面に床部材９を配置して構成されている。
【００２１】
このようなバルコニ用サッシ体２は、アルミニウム等で一体的に形成され、ユニット化されている。そして、バルコニ床面部５を、図３に示したと同様に、小屋パネル１７に載せて固定するとともに、垂直面部３の両側面、および勾配面部４の３方周囲を、屋根パネル用フレーム１４に、図示しない係止部材により係止させて確実に固定されている。
【００２２】
勾配屋根面１６の開口部１６Ａにおいて、バルコニ用サッシ体２の垂直面部３の上端から開口部１６Ａの軒先側縁部までの間、かつ、屋根面１６とバルコニ床面部５との間には、ほぼ台形状の２枚のバルコニ用側面外壁２６が設けられている。また、バルコニ床面部５の軒先側先端と開口部１６Ａの軒先側縁部との間には、前記バルコニ用側面外壁２６の先端同士間にわたされて、バルコニ用前側外壁２７が設けられている。
【００２３】
このような第１参考例では、次のような効果がある。
(1)ルーフバルコニ１を構成するバルコニ用サッシ体２には、ガラス面７となった勾配面部４が設けられているので、この勾配面部４とガラス面となっている出入り口部６との両方からの採光が可能となる。従って、採光面積が増え、小屋裏居室空間の採光が充分となり、明るく快適な小屋裏居住空間を得ることができる。
【００２４】
(2)バルコニ用サッシ体２は、アルミニウム等で一体的に形成され、ユニット化されており、バルコニ床面部５を、小屋パネル１７に載せて固定するとともに、垂直面部３の両側面、および勾配面部４の３方周囲を屋根パネル用フレーム１４に係止させればよいので、取付が容易となり、取付作業の効率化および工期短縮を図れる。
【００２５】
(3)バルコニ用サッシ体２の勾配面部４は、勾配屋根面１６と同一勾配、かつ、同一面上に屋根面１６に沿って設けられているので、雨等の水の流れが勾配面部４で滞ることがなくスムーズに流れ、また、勾配面部４が屋根面に連続しているのですっきりとした外観となる。
【００２６】
(4)ルーフバルコニ１を構成するバルコニ用サッシ体２には、ガラス面７となった勾配面部４が設けられているので、寒い季節等、出入り口部６を開けて外に出なくても、小屋裏室内から天心寄りの星座等を観察することができ、利用価値が大きい。
【００２７】
次に、図５，６に基づいて、本発明の実施形態のルーフバルコニ３１を説明する。
この実施形態のルーフバルコニ３１は、前記第１参考例のルーフバルコニ１のバルコニ用サッシ体２が勾配面部４を備えていたものを、勾配面部のないバルコニ用サッシ体３２としたものである。
【００２８】
すなわち、バルコニ用サッシ体３２は、アルミ枠サッシで形成された垂直面部３３と、この垂直面部３３の下端に軒先１６Ｃ側に延びて水平に設けられた床面部３５と、垂直面部３３と平行かつ床面部３５の軒先１６Ｃ側他端に設けられ、上端が前記開口部１６Ａの軒先１６Ｃ側縁部と接する前面部３４と、これらの垂直面部３３と前面部３４とを接続するほぼ台形上の２つの側壁面部３７とを有して形成されている。
なお、垂直面部３３の上端は、開口部１６Ａの棟１６Ｂ側縁部と接し、側壁面部３７の斜め材は、屋根１６の勾配と等しい勾配となっている。
【００２９】
垂直面部３３には、小屋裏居室１５からルーフバルコニ３１に出入りするための出入り口部３６が形成されており、この出入り口部３６は、引き戸式のガラス面で形成されている。また、バルコニ床面部３５は、補強梁３８Ａで補強されたサッシ床枠３８の上面に床部材３９を配置して構成されている。
【００３０】
それぞれの側壁面部３７は、前後方向に２分割されており、出入り口部３６側の半分はガラス面３７Ａとなっており、外側の半分は壁面材３７Ｂとなっている。また、前面部３４には、前面壁３４Ａが張られている。
【００３１】
このようなバルコニ用サッシ体３２は、前記第１参考例と同じように、アルミニウム等で一体的に形成され、ユニット化されている。そして、小屋パネル１７に載せて固定するとともに、屋根パネル用フレーム１４に係止させることにより確実に固定されるようになっている。
なお、以下に述べる各参考例のバルコニ用サッシ体の取付けも、上述したように取付けられるようになっている。
【００３２】
このような本実施形態においては、前記(2)と同様の効果を得ることができる他、ルーフバルコニ３１を構成するバルコニ用サッシ体３２の側壁面部３７の一部がガラス面３７Ａとなっているので、これらの側壁面部３７と出入り口部３６との両方からの採光が可能となる。従って、採光面積が増え、小屋裏居室空間の採光が充分となり、明るく快適な小屋裏居住空間を得ることができる。
【００３３】
次に、図７，８に基づいて、本発明の第２参考例のルーフバルコニ４１を説明する。
この第２参考例のルーフバルコニ４１は、前記実施形態のバルコニ用サッシ体３２に、前記第１参考例のバルコニ用サッシ体３２の勾配面部４を加えた形状のバルコニ用サッシ体４２としたものである。
そのため、この第２参考例では、前記実施形態や参考例と同一構造および同一部材等には、同一符号を付すとともに、その詳細な説明は、省略または簡略化する。
【００３４】
バルコニ用サッシ体４２は、前記垂直面部３３と、床面部３５と、前面部３４と、２つの側壁面部３７と、垂直面部３３の上端部に連続するとともに、勾配屋根面１６の勾配と同一勾配、かつ、同一平面上に位置し、屋根面１６に沿って棟１６Ｂ側に延びる勾配面部４４とを有して形成されている。そして、この勾配面部４４は、サッシ枠にガラスがはめ込まれたガラス面４８となっている。
【００３５】
このような第２参考例においては、前記(2)(4)と同様の効果を得ることができる他、バルコニ用サッシ体４２の側壁面部３７の一部と勾配面部４４とがガラス面となっているので、これらのガラス面および出入り口部３６との３方からの採光が可能となる。従って、採光面積が増え、小屋裏居室空間の採光が充分となり、明るく快適な小屋裏居住空間を得ることができる。
【００３６】
次に、図９，１０に基づいて、本発明の第３参考例のルーフバルコニ５１を説明する。
この第３参考例のルーフバルコニ５１は、勾配面部５４の両側面に、当該勾配面部５４と同一勾配の拡張勾配面部５４Ａを加えた形状のバルコニ用サッシ体５２を備えたものであり、勾配面部５４は、前記第２参考例のバルコニ用サッシ体４２の勾配面部４４と同様のものである。そのため、この第３参考例では、前記第２参考例と同一構造および同一部材等には、同一符号を付すとともに、その詳細な説明は省略または簡略化する。
【００３７】
バルコニ用サッシ体５２は、垂直面部３３と、床面部３５と、前面部３４と、２つの側壁面部３７と、垂直面部３３の上端部に連続するとともに、勾配屋根面１６の勾配と同一勾配、かつ、同一平面上に位置し、屋根面１６に沿って屋根棟１６Ｂ側に延びる勾配面部５４と、この勾配面部５４の両側面に設けられ、勾配面部５４と同一勾配、かつ、屋根１６の開口部１６Ａの３辺に面した拡張勾配面部５４Ａとを有して形成されている。そして、この勾配面部５４および拡張勾配面部５４Ａは、サッシ枠にガラスがはめ込まれたガラス面５８となっている。
【００３８】
このような第３参考例においては、前記(2)(4)と同様の効果を得ることができる他、ガラス面５８となった拡張勾配面部５４Ａを有しているので、出入り口部３６、側壁面部３７、勾配面部５４および拡張勾配面部５４Ａからの採光が可能となる。従って、採光面積が一段と増え、小屋裏居室空間の採光が充分となり、明るく快適な小屋裏居住空間を得ることができる。
【００３９】
次に、図１１に基づいて、本発明の第４参考例のルーフバルコニ６１を説明する。
この第４参考例のルーフバルコニ６１は、バルコニ用サッシ体６２に設けた勾配面部６４の一端を、建物の棟１６Ｂの棟包み金物６０の下面まで延ばしたものである。そのため、この第４参考例では、前記第２参考例と同一構造および同一部材等には、同一符号を付すとともに、その詳細な説明は省略または簡略化する。
【００４０】
バルコニ用サッシ体６２は、前記垂直面部３３と、床面部３５と、前面部３４と、２つの側壁面部３７と、勾配面部６４と、この勾配面部５４の片方の側面に設けられた拡張勾配面部６４Ａ，６４Ｂとを有して形成され、この勾配面部６４および拡張勾配面部６４Ａ，６４Ｂは、サッシ枠にガラスがはめ込まれたガラス面６８となっている。勾配面部６４および拡張勾配面部６４Ａ，６４Ｂは、他の参考例の勾配面部５４等と同様、屋根１６の勾配と同一勾配、同一平面上に位置している。
【００４１】
拡張勾配面部６４Ａ，６４Ｂは、勾配面部６４の一方の側面に設けられ、かつ、拡張勾配面部６４Ｂは、一方の側壁面部３７の上端縁に連続した状態となっている。また、２つの側壁面部３７のうち一方はガラス面となっており、他方は、壁面材が張られた壁面となっている。
【００４２】
このような第４参考例においては、前記(2)(4)と同様の効果を得ることができる他、ガラス面６８となった拡張勾配面部６４Ａ，６４Ｂを有しており、勾配面部６４および拡張勾配面部６４Ａの一端が、建物の棟１６Ｂの棟包み金物６０の下面まで延びているので、採光面積が一段と増え、小屋裏居室空間の採光が充分となり、明るく快適な小屋裏居住空間を得ることができる。
【００４３】
次に、図１２，１３に基づいて、本発明の第５参考例のルーフバルコニ７１を説明する。
この第５参考例のルーフバルコニ７１は、バルコニ用サッシ体７２に、水平な上面部８０を設けたものである。
この第５参考例では、前記実施形態や各参考例と同一構造および同一部材等には、同一符号を付すとともに、その詳細な説明は省略または簡略化する。
【００４４】
バルコニ用サッシ体７２は、垂直面部７３と、この垂直面部７３の下端に設けられ軒先１６Ｃ側に水平に突出する床面部７５と、この床面部７５の先端に立設される前面部７４と、垂直面部７３と前面部７４との間にわたされる２つの側壁面部７７と、垂直面部７３の上端部に棟１６Ｂ側に延びて設けられる水平な上面部８０とを有して形成され、この上面部８０は、サッシ枠にガラスがはめ込まれたガラス面７８となっている。
【００４５】
垂直面部７３には、小屋裏居室１５からルーフバルコニ７１に出入りするための出入り口部７６が形成されており、この出入り口部７６は、引き戸式のガラス面で形成されている。また、バルコニ床面部７５は、補強梁７８Ａで補強されたサッシ床枠７８の上面に床部材７９を配置して構成されている。さらに、前面部７４には前面壁７４Ａが設けられ、側壁面部７７には壁面材７７Ａが張られている。この側壁面部７７には壁面材７７Ａに代えてガラスを張ってもよい。
また、バルコニ用サッシ体７２において、上面部８０の両側面および垂直面部７３の上部と、屋根１６の開口部１６Ａにおける左右の縁部とで形成される隙間もガラス面８０Ａとなっている。
【００４６】
このような第５参考例においては、前記(2)(4)と同様の効果を得ることができる他、上面部８０およびその両側面からの採光が可能となる。従って、採光面積が増え、小屋裏居室空間の採光が充分となり、明るく快適な小屋裏居住空間を得ることができる。また、上面部８０を有することから変化に富んだ外観のユニット式建物とすることができる。
【００４７】
なお、本発明は前記実施形態に限定されるものではなく、本発明の目的を達成できるものであれば、次に示すような変形形態でもよいものである。
例えば、前記実施形態において、２つの側壁面部３７の前後方向半分をガラス面３７Ａとし、残り半分を壁面材３７Ｂとしたが、これに限らない。一方の側壁面部３７のみをガラス面３７Ａと壁面材３７Ｂとし、他方の側壁面部３７全部をガラス面または壁面材としてもよい。あるいは、２つの側壁面部３７全部をガラス面としてもよい。
【００４８】
また、前記第３参考例では、勾配面部５４の両側に拡張勾配面部５４Ａを設けたが、これに限らず、いずれか一方の側面にのみ拡張勾配面部５４Ａを設けてもよい。
【００４９】
さらに、前記第４参考例では、勾配面部６４の片方の側面に拡張勾配面部６４Ａ，６４Ｂを設けたが、これに限らず、勾配面部６４の両側に拡張勾配面部６４Ａ，６４Ｂを設けてもよい。あるいは、勾配面部６４の一端が建物の棟１６Ｂの棟包み金物６０の下面まで延びていればよいので、拡張勾配面部６４Ａ，６４Ｂは設けなくてもよい。
【符号の説明】
【００５０】
１，３１，４１，５１，６１，７１…ルーフバルコニ、２，３２，４２，５２，６２，７２…バルコニ用サッシ体、３，３３，７３…垂直面部、４，４４，５４，６４…勾配面部、５，３５，７５…床面部、６，３６，７６…ガラス面となった出入り口部、１０…ユニット式建物、１５…小屋裏居室、１７…小屋パネル。
【図１】
2010190037.tif 000003
【図２】
2010190037.tif 000004
【図３】
2010190037.tif 000005
【図４】
2010190037.tif 000006
【図５】
2010190037.tif 000007
【図６】
2010190037.tif 000008
【図７】
2010190037.tif 000009
【図８】
2010190037.tif 000010
【図９】
2010190037.tif 000011
【図１０】
2010190037.tif 000012
【図１１】
2010190037.tif 000013
【図１２】
2010190037.tif 000014
【図１３】
2010190037.tif 000015